(57)【要約】【課題】放射性薬剤注射液を使用するシリンジのプランジャーのフランジ部に遮蔽材を有するシリンジと、有しない一般のシリンジを共用でき、資源としての再利用が容易な放射性薬剤注射液用遮蔽体装置１３を提供することを目的とする。【解決手段】放射性薬剤注射液を使用するシリンジ１のプランジャー９に形成されたフランジ部１１の背面に、放射線を遮蔽する遮蔽体を着脱する。この着脱を行うため、遮蔽体の一部に挟持部２１を設け、フランジ部１１を挟持する。挟持部２１には、挟持されたフランジ部１１を押圧する弾性構造又はバネ構造１９を有する。遮蔽体は、プラスチック成形体に、タングステン及び／又は鉛成形体を組みこむ。プラスチック成形体の一部には遠隔ロッド４５を取り付ける。【選択図】図1
2006325827.tif 000002
【特許請求の範囲】
【請求項１】
放射性薬剤注射液を使用するシリンジのプランジャーに形成されたフランジ部の背面に着脱され放射線を遮蔽する遮蔽体と、前記着脱を行うため遮蔽体の一部に設けられ前記フランジ部を挟持する挟持部と、挟持された前記フランジ部を押圧する弾性構造又はバネ構造と、を有することを特徴とする放射性薬剤注射液用遮蔽体装置。
【請求項２】
前記遮蔽体は、プラスチック成形体に、タングステン及び／又は鉛成形体を組み込んだことを特徴とする請求項１に記載の放射性薬剤注射液用遮蔽体装置。
【請求項３】
前記プラスチック成形体の一部に遠隔ロッドを取り付けたことを特徴とする請求項２に記載の放射性薬剤注射液用遮蔽体装置。
【請求項４】
前記プラスチック成形体に指でつまめる突起を有することを特徴とする請求項２に記載の放射性薬剤注射液用遮蔽体装置。
【請求項５】
前記プラスチック成形体がタングステン及び／又は鉛を含有することを特徴とする請求項１、３、４に記載の放射性薬剤注射液用遮蔽体装置。
【発明の詳細な説明】
【技術分野】
【０００１】
この発明は、放射性薬剤注射液をシリンジ（注射器のこと）によって吸引し患者に投与するときに、医療従事者が放射線を指先に被曝しないように、シリンジのプランジャーのフランジ部に遮蔽体を取り付ける装置の構造に関する。
【背景技術】
【０００２】
液体の放射性薬剤からなる注射液を、患者に投与するときには、以下のように行う。すなわち、放射線を遮蔽する遮蔽材からなる容器に収納されたバイアルに入れられた注射液を、このバイアルのゴム製の栓に、ディスポーザブルシリンジの針を穿刺し、このシリンジのプランジャーのフランジ部を指でつまんで引っ張り、吸引して取り出す。
【０００３】
あるいは、前記バイアルのゴム製の栓に、注射用の針を穿刺し、この針に連通するチューブに接続されたシリンジのプランジャーのフランジ部を指でつまんで引っ張り、吸引して取り出す。
その後に、直接に前記シリンジを用いて、あるいは別の注射用の針を前記シリンジに接続して、シリンジのフランジ部を指で押して患者に投与する。
この吸引と投与の際に、医療従事者が指先に被曝しないように、下記の特許文献１のように、プランジャーの先端部およびプランジャーフランジ部にプラスチックタングステン（遮蔽材）を取り付け、シリンジ内部で漏洩を低減する方法も提案されている。
【特許文献１】特開平１１−１６４８８６
【発明の開示】
【発明が解決しようとする課題】
【０００４】
しかしながら、特許文献１は、シリンジプランジャーのフランジ部をプラスチックタングステン材とポリプロピレンの一体成形したもので、使用後、廃棄される。一般のディスポーザブルシリンジと比べ、割高となる。そして、フランジに一体成形した特注品であり、一般のディスポーザブルシリンジには適用できない。
【０００５】
また、プラスチックタングステン材とポリプロピレンを分離することが簡単でないので、資源としての再利用が困難である。
この発明は、以上の問題点を解決するために、プランジャーのフランジ部に遮蔽材を有するシリンジと、有しない一般のシリンジを共用でき、資源としての再利用が容易な放射性薬剤注射液用遮蔽体装置を提供することを目的とする。
【課題を解決するための手段】
【０００６】
以上の課題を解決するために、第一発明は、放射性薬剤注射液を使用するシリンジのプランジャーに形成されたフランジ部の背面に着脱され放射線を遮蔽する遮蔽体と、前記着脱を行うため遮蔽体の一部に設けられ前記フランジ部を挟持する挟持部と、挟持された前記フランジ部を押圧する弾性構造又はバネ構造と、を有することを特徴とする放射性薬剤注射液用遮蔽体装置である。
【０００７】
第二発明は、さらに、前記遮蔽体は、プラスチック成形体に、タングステン及び／又は鉛成形体を組み込んだことを特徴とする放射性薬剤注射液用遮蔽体装置である。
第三発明は、さらに、前記プラスチック成形体の一部に遠隔ロッドを取り付けたことを特徴とする放射性薬剤注射液用遮蔽体装置である。
第四発明は、さらに、前記プラスチック成形体に指でつまめる突起を有することを特徴とする放射性薬剤注射液用遮蔽体装置である。
第五発明は、さらに、前記プラスチック成形体がタングステン及び／又は鉛を含有することを特徴とする放射性薬剤注射液用遮蔽体装置である。
【発明の効果】
【０００８】
この発明によれば、シリンジのプランジャーに形成されたフランジ部の背面に遮蔽体を着脱できるので、フランジ部に遮蔽材を有するシリンジとして使用でき、装着を外すことで、一般のシリンジとして使用でき、シリンジの共用を可能にする。つまり、フランジ部に遮蔽材を有しないシリンジに、遮蔽材を後付でき、フランジ部に遮蔽材を有するシリンジとして使用できる。
【０００９】
また、装着を外すことで分離は容易であり、資源としての再利用が容易となる。特に、この遮蔽体装置は放射性薬剤注射液に接触することがないので、再利用に特に有利である。
さらに、挟持された前記フランジ部を押圧する弾性構造又はバネ構造を有することで、フランジ部の厚みに成形のバラツキがあっても、バラツキに影響を受けず、よって、装着が堅すぎたり、又、ゆるすぎて脱落したりすることがなく、確実に装着が可能である。
また、使用する放射性薬剤の放射能量が大きい場合には、この遮蔽体装置を取り換えるだけで遮蔽材の厚み調整ができ、よって、別のタイプのシリンジを用意する必要がない。
【発明を実施するための最良の形態】
【００１０】
この発明の実施形態を、図１〜図３に示す。
（概略）
図１に示すように、放射性薬剤注射液を使用するシリンジ１は、筒状のシリンジ本体３の先端に針を取り付ける先端部５が形成され、後端にシリンジフランジ７が形成される。この後端に、プランジャー９が挿通される。プランジャー９の後端に円形のフランジ部１１が形成される。
【００１１】
このフランジ部１１に、この実施形態に係る放射性薬剤注射液用遮蔽体装置１３が装着される。この遮蔽体装置１３は、概略楕円形をなし、フランジ部１１に平行に位置し、板状のプラスチック成形体であるベース部１７と、このベース部１７の前面に位置し、バネ構造１９を介してベース部１７に取り付けられるプラスチック成形体である挟持部２１とを有する。
【００１２】
ベース部１７の前面の中央部には、放射線を遮蔽する円形の遮蔽材２３が所定の厚さで固定される。遮蔽材２３は、例えばタングステン及び／又は鉛成形体である。遮蔽材２３の表面には  プラスチック成形体である表面材２５が固定される。
挟持部２１は、ベース部１７と平行に位置し、ベース部１７の片側の半分以上覆う板状の平面部２７を有する。ベース部１７とこの平面部２７との間２８に、フランジ部１１が挟持される。
この平面部２７の中央にはプランジャー９の首２９の部分を嵌合するコの字状の切欠３１が形成される。平面部２７の周囲には、脚部３３が形成され、円形の遮蔽材２３と表面材２５の周囲に位置する。この脚部３３には、前記円形の半径方向の両端にそれぞれ、バネ構造１９を介してネジ３５が設けられ、ベース部１７に取り付けられる。
【００１３】
すなわち、脚部３３とベース部１７とに連通するネジ孔３７が形成され、このネジ孔３７に螺合するネジ３５の周囲に圧縮コイルバネ３９が設けられる。ネジ３５の締付力を調整することで、圧縮コイルバネ３９の強さを調整できる。
ベース部１７の挟持部２１で覆われていない反対側には、フランジ部１１の脱落を防止するストッパー４１が設けられる。すなわち、ベース部１７の面に対して直角な面内で軸４０回りに回動可能にＬ字形状のストッパー４１が設けられる。そして、このＬ字の部分で、挟持された状態のフランジ部１１の片側の厚みの角部を、ぴったりと保持する。ストッパー４１は、プラスチック成形体であり、その弾性により、節度感のある保持が可能になる。
【００１４】
（構成部品の材質）
構成部品としてプラスチック成形体に使用できるプラスチックは、ＡＢＳ、ナイロン、ポリアセタールのようなエンジニアリングプラスチック、中でもＡＢＳは成形性が良く、寸法精度が良好なため、好ましく用いることができる。その他、高密度ポリエチレン、プロピレン、ポリカーボネート、塩化ビニル等が使用できる。
【００１５】
遮蔽材２３の成形体として、タングステン粉体とナイロン、ＡＢＳ、ＰＣ等のプラスチックから得られるプラスチックタングステンを使用する場合には、それ自体が遮蔽体となる。プラスチックタングステンは日本タングステン社、カネボウ社、メイト社等から入手することができる。
【００１６】
（成形体の形状）
遮蔽体装置１３の形状は、基本的には、楕円形が好ましいが、楕円形に近い偏平な八角形（図３（Ａ））、円形、正方形、５角形、６角形、長方形でも用いることができる。
（プランジャー９のフランジ部１１の寸法）
一般の２.５〜３.０ｍｌディスポーザブルシリンジのプランジャーフランジ部の直径は１２〜１３ｍｍ、厚さ約１.３〜１.４ｍｍのものを使用することが多い。
【００１７】
（遮蔽材２３の形状及び寸法）
形状としてプラスチック成形体に組み込む場合は、円形が好ましいが、正方形、５角形、６角形、多角形でも用いることができる。外形寸法は、プランジャーフランジ部の直径の１.１〜３.０倍、好ましくは１.３〜２.０倍であり、厚みは使用する放射性薬剤のエネルギーにもよるが、鉛遮蔽材を使用した場合、ＳＰＥＣＴ（単光子放出コンピュータ断層撮影法）放射性医薬品用では３から１０ｍｍ、ＦＤＧ用では１０から３０ｍｍとなる。
プラスチック成形体の一部にプラスチックタングステン成形体を用いることもできる。この場合、成形体自体が遮蔽体となる。
【００１８】
（タングステンの密度）
遮蔽材２３に使用するタングステンの密度は高いほど好ましいが、入手の容易さから１７〜１８．５が用いられる。プラスチックタングステンも用いることができるが、この場合、密度は１０〜１４のものが用いられる。プラスチックタングステンに用いられるプラスチックは６ナイロン、６６ナイロン、１２ナイロン、ポリフェニレンサルファイド（ＰＰＳ）、ＡＢＳ，エチレンエチルアクリレート（ＥＥＡ）等がある。タングステン以外の金属としては、鉛、タンタル、ビスマス、劣化ウラン等があるが、これらも単独又はタングステンと組み合わせて使用することができる。
【００１９】
（プランジャー９のフランジ部１１を挟持のために挿入する隙間２８）  
使用するプランジャー９のフランジ部１１の厚さにもよるが、フランジ部１１を挟持のために挿入する隙間２８は、フランジ部１１の厚さの０.８〜１.０倍であれば、シリンジ１の装着および脱着が容易に行うことができる。１．０倍を超えると脱着が起こり、好ましくない。
【００２０】
（圧縮コイルバネ３９）
圧縮コイルバネ３９の材質は、ピアノ線、バネ鋼線、硬鋼線、ステンレス等が使用できる。最大荷重は例えば５〜１０N、自由高は５〜１５ｍｍ程度が望ましい。
「実施形態の作用・効果」
この実施形態によれば、ストッパー４１をはずし、シリンジ１のプランジャー９のフランジ部１１を、遮蔽体装置１３のベース部１７と挟持部２１との隙間に挿入した後、ストッパー４１を回動して保持し、吸引・投与操作に入る。
【００２１】
そして、シリンジ１のプランジャー９に形成されたフランジ部１１の背面に遮蔽体装置１３を着脱できるので、フランジ部１１に遮蔽材２３を有するシリンジ１として使用でき、装着を外すことで、一般のシリンジ１として使用できる。よって、シリンジ１の共用を可能にする。つまり、フランジ部１１に遮蔽材２３を有しないシリンジ１に、遮蔽材２３を後付でき、フランジ部１１に遮蔽材２３を有するシリンジ１として使用できる。
【００２２】
また、遮蔽体装置１３の装着を外すことで分離は容易であり、遮蔽体やシリンジ１の資源としての再利用が容易となる。特に、この遮蔽体装置１３は放射性薬剤注射液に接触することがないので、再利用に特に有利である。
さらに、挟持されたフランジ部１１を押圧するバネ構造１９を有することで、フランジ部１１の厚みに成形のバラツキがあっても、バラツキに影響を受けない。つまり、装着が堅すぎたり、又、ゆるすぎて脱落したりすることがなく、確実に装着が可能である。
また、使用する放射性薬剤の放射能量が大きい場合には、この遮蔽体装置１３を取り換えるだけで遮蔽材２３の厚み調整ができる。よって、別のタイプのシリンジ１を用意する必要がない。
【００２３】
「他の実施形態」
（遠隔ロッド）
以上の実施形態では、遮蔽体装置１３をつまんで吸引を行うものであったが、他の実施形態では、図４、図５、図６に示すように、遮蔽体装置１３のベース部１７の背面に、プランジャー９をあたかも延長する働きの遠隔ロッド４５を設けても良い。
【００２４】
被曝を避ける方法としては、（１）距離をとる。（２）取扱時間を短くする。（３）遮蔽をする、ことが安全の３原則である。遮蔽体の取り付けで十分であるが、エネルギーの大きい核種を扱うことを想定し、遮蔽体の一部に、以上のように遠隔ロッド４５を取り付けることにより、より効果をあげることができる。
【００２５】
使用されるロッドの材質は金属、プラスチック、木等をあげることができる。金属としては、アルミ、鉄、ステンレス、真鍮等が使用できる。プラスチックはポリプロピレン、ポリエチレン、ポリカーボネート、ＡＢＳ，塩化ビニル等が使用できる。取り付け方法はネジ込み、接着、溶着等があるが、遠隔ロッド４５が付いた成形体を遮蔽体の一部として、取り付けることもできる。
【００２６】
（突起）
前記遠隔ロッド４５は、プランジャー９をあたかも延長する形状を有するものであったが、他の実施形態では、遮蔽体装置１３のベース部１７の背面に単に突起を設けるだけでもかまわない。突起をつまんで吸引を行えば、遮蔽体装置１３の前面側に指が露出してしまい被爆する可能性を小さくできる。
【００２７】
（弾性体、板バネ）
以上の実施形態では、確実な装着のためにバネ構造１９をネジ３５の回りに設けるものであったが、他の実施形態では、ネジ３５から離れた挟持部２１の平面部２７の縁に設けても良い。  
また、このようなバネ構造１９は、図４に示すように、板バネ４７やシリコンなどの弾性体４９であっても良い。
【００２８】
板バネ４７の材質としては、バネ鋼、硬鋼、ステンレス、真鍮等が使用できる。また、最大荷重は５〜１０N、たわみは０．５〜３ｍｍのものが望ましい。
また、図５に示すように、ネジ３５の回りにシリコンなどの弾性体４９を設けるものであっても良い。すなわち、ネジ３５の回りに円筒状のシリコン弾性体を設ければ、図１〜図３のバネ構造１９とほぼ同等の効果をうる。
【００２９】
使用する弾性体４９としては、ゴム、熱可塑性エラストマー、発泡プラスチック等がある。ゴムとしては、天然ゴム、ブタジエンゴム、スチレン・ブタジエンゴム、エチレン・プロピレンゴム、クロロプレンゴム、ウレタンゴム、アクリルゴム、ニトリルゴム、シリコンゴム等があり、また、それらの発泡体も使用可能である。エラストマーとしては、ポリスチレン系、ポリオレフィン系、ポリ塩化ビニル系、ポリウレタン系、ポリエステル系等が使用できる。また、発泡プラスチックとして、ポリスチレン、ポリエチレン、ポリプロピレン等が使用できる。
【００３０】
（遮蔽材２３の位置）  
以上の実施形態では、遮蔽材２３は、ベース部１７の前面に設けられるものであったが、他の実施形態では、図７に示すように、ベース部１７の背面に設けられるものとしても良い。
【図面の簡単な説明】
【００３１】
【図１】この発明の一実施形態を示す遮蔽体装置１３をシリンジに装着した状態を示す側面図である。
【図２】図１の遮蔽体装置を示すもので、（Ａ）は正面図、（Ｂ）は側面図、（Ｃ）は（Ａ）のＡ−Ａ水平断面図である。
【図３】（Ａ）は図１の遮蔽体装置の斜視図で、（Ｂ）は（Ａ）のストッパーの動作を説明する説明図である。
【図４】この発明の他の実施形態を示す遮蔽体装置を示すもので、（Ａ）は正面図、（Ｂ）は（Ａ）のＢ−Ｂ断面側面図、（Ｃ）は（Ａ）のＣ−Ｃ水平断面図である。
【図５】この発明のさらに他の実施形態を示す遮蔽体装置を示すもので、（Ａ）は正面図、（Ｂ）は側面図、（Ｃ）は（Ａ）のＡ−Ａ水平断面図である。
【図６】図５の遮蔽体装置の斜視図である。
【図７】この発明のさらに他の実施形態を示す遮蔽体装置を示す水平断面図である。
【符号の説明】
【００３２】
１…シリンジ、３…シリンジ本体、５…先端部、７…シリンジフランジ、９…プランジャー、１１…フランジ部、１３…放射性薬剤注射液用遮蔽体装置、１７…ベース部、１９…バネ構造、２１…挟持部、２３…遮蔽材、２５…表面材、２７…平面部、２９…首、３１…切欠、３３…脚部、３５…ネジ、３７…ネジ孔、３９…圧縮コイルバネ、４１…ストッパー、４５…遠隔ロッド、４７…板バネ、４９…弾性体。
【図１】
2006325827.tif 000003
【図２】
2006325827.tif 000004
【図３】
2006325827.tif 000005
【図４】
2006325827.tif 000006
【図５】
2006325827.tif 000007
【図６】
2006325827.tif 000008
【図７】
2006325827.tif 000009